(57)【要約】【課題】エレベータかご内装置の取付作業の効率を向上させることができるエレベータかご内装置ユニットを得る。【解決手段】かご１の側壁１２の上部を跨ぐようにして側壁１２に引っ掛けられる上部固定装置２１と、上部固定装置２１に吊下げられるエレベータかご内装置２２と、エレベータかご内装置２２に固定されるとともに、かご１の巾木１１に固定される下部固定装置２３と、エレベータかご内装置２２と側壁１２との間に設けられ、側壁１２に対してエレベータかご内装置２２が離れる方向に移動することを規制する規制装置２４とを備えている。【選択図】図１
2015089849.tif 000002
【特許請求の範囲】
【請求項１】
かごの側壁の上部を跨ぐようにして前記側壁に引っ掛けられる上部固定装置と、
前記上部固定装置に吊下げられるエレベータかご内装置と
を備えたことを特徴とするエレベータかご内装置ユニット。
【請求項２】
前記エレベータかご内装置に固定されるとともに、前記かごの巾木に固定される下部固定装置をさらに備えたことを特徴とする請求項１に記載のエレベータかご内装置ユニット。
【請求項３】
前記エレベータかご内装置と前記側壁との間に設けられ、前記側壁に対して前記エレベータかご内装置が離れる方向に移動することを規制する規制装置をさらに備えたことを特徴とする請求項１または請求項２に記載のエレベータかご内装置ユニット。
【請求項４】
前記エレベータかご内装置は、高さ方向に並べられた複数のかご内装置本体を有し、
それぞれの前記かご内装置本体は、高さ方向に隣り合う前記かご内装置本体と係合する係合部を含んでいることを特徴とする請求項１から請求項３までの何れか一項に記載のエレベータかご内装置ユニット。
【発明の詳細な説明】
【技術分野】
【０００１】
この発明は、エレベータのかごに取り付けられるエレベータかご内装置ユニットに関する。
【背景技術】
【０００２】
従来、かごの側壁に形成された溝にはめ込まれるハウジングと、ハウジングに設けられる操作盤本体とを備えたかご内操作盤が知られている（例えば、特許文献１参照）。
【先行技術文献】
【特許文献】
【０００３】
【特許文献１】特開２０１１−１９００６０号公報
【発明の概要】
【発明が解決しようとする課題】
【０００４】
しかしながら、例えば、車椅子利用者に使用される車椅子用かご内操作盤などのエレベータかご内装置を既設のかごに取り付ける場合、エレベータかご内装置を側壁に取り付ける際に用いられるボルトを通すための貫通孔を側壁に形成したり、側壁の強度を向上させるために側壁の裏面に補強板を設置したりする必要があり、エレベータかご内装置の取付作業の効率が悪いという問題点があった。
【０００５】
この発明は、エレベータかご内装置の取付作業の効率を向上させることができるエレベータかご内装置ユニットを提供するものである。
【課題を解決するための手段】
【０００６】
この発明に係るエレベータかご内装置ユニットは、かごの側壁の上部を跨ぐようにして側壁に引っ掛けられる上部固定装置と、上部固定装置に吊下げられるエレベータかご内装置とを備えている。
【発明の効果】
【０００７】
この発明に係るエレベータかご内装置ユニットによれば、かごの側壁の上部を跨ぐようにして側壁に引っ掛けられる上部固定装置と、上部固定装置に吊下げられるエレベータかご内装置とを備えているので、かごの側壁に上部固定装置を引っ掛けることで、エレベータかご内装置を既設のかごに取り付けることができる。これにより、エレベータかご内装置の取付作業の効率を向上させることができる。
【図面の簡単な説明】
【０００８】
【図１】この発明の実施の形態１に係るエレベータかご装置を示す図である。
【図２】図１のエレベータかご内装置ユニットを示す側面図である。
【図３】図３のエレベータかご内装置ユニットを示す正面図である。
【図４】図３のエレベータかご内装置ユニットを示す平面図である。
【図５】図２のＡ部を拡大した図である。
【図６】図３のエレベータかご内装置ユニットの変形例を示す正面図である。
【図７】図３のエレベータかご内装置ユニットの変形例を示す正面図である。
【図８】図７のＶＩＩＩ−ＶＩＩＩ線に沿った矢視断面図である。
【図９】図７のＩＸ−ＩＸ線に沿った矢視断面図である。
【図１０】図３のエレベータかご内装置ユニットの変形例を示す正面図である。
【発明を実施するための形態】
【０００９】
実施の形態１．
図１はこの発明の実施の形態１に係るエレベータかご装置を示す図である。エレベータかご装置は、かご１と、かご１に取り付けられる一対のエレベータかご内装置ユニット２とを備えている。
【００１０】
かご１は、かご床に設けられた巾木１１と、巾木１１の上部に固定され、高さ方向に延びた側壁１２と、側壁１２に支持された天井１３とを有している。エレベータかご内装置ユニット２は、かご１の幅方向両側に配置された側壁１２のそれぞれに取り付けられている。
【００１１】
図２は図１のエレベータかご内装置ユニット２を示す側面図、図３は図３のエレベータかご内装置ユニット２を示す正面図、図４は図３のエレベータかご内装置ユニット２を示す平面図である。エレベータかご内装置ユニット２は、側壁１２（図１）の上部を跨ぐようにして側壁１２に引っ掛けられる上部固定装置２１と、上部固定装置２１に吊下げられるエレベータかご内装置２２と、エレベータかご内装置２２に吊下げられるとともに、巾木１１（図１）に固定される下部固定装置２３と、エレベータかご内装置２２と側壁１２との間に設けられ、側壁１２に対してエレベータかご内装置２２が離れる方向に移動することを規制する規制装置２４とを備えている。
【００１２】
上部固定装置２１には、幅方向に延びるとともにかご１の高さ方向に貫通した複数の長孔２１１が形成されている。それぞれの長孔２１１は、上部固定装置２１の幅方向に並べられて配置されている。長孔２１１には、天井１３（図１）を側壁１２に固定する際に用いられるボルト（図示せず）が挿入されるようになっている。上部固定装置２１は、このボルトが長孔２１１に挿入されることによって、天井１３を側壁１２に固定する際に、天井１３とともに側壁１２に固定される。つまり、上部固定装置２１は、天井１３と共締めされる。
【００１３】
エレベータかご内装置２２は、かご１の内側に配置される。エレベータかご内装置２２は、案内板（かご内装置本体）２２１と、車椅子用かご内操作盤（かご内装置本体）２２２と、車椅子用かご内手摺（かご内装置本体）２２３と、第１荷摺（かご内装置本体）２２４と、第２荷摺（かご内装置本体）２２５とを有している。案内板２２１、車椅子用かご内操作盤２２２、車椅子用かご内手摺２２３、第１荷摺２２４および第２荷摺２２５は、案内板２２１、車椅子用かご内操作盤２２２、車椅子用かご内手摺２２３、第１荷摺２２４および第２荷摺２２５の順に、上部固定装置２１から下部固定装置２３に向かって高さ方向に並べられて配置されている。案内板２２１および車椅子用かご内操作盤２２２には、エレベータ制御盤などの外部と電気的に接続されるための配線ケーブル（図示せず）が接続されており、この配線ケーブルは、エレベータかご内装置ユニット２の内側および上部固定装置２１の内側を通って、かご１の外側に配線されている。
【００１４】
図５は図２のＡ部を拡大した図である。第１荷摺２２４の下部には、第１荷摺２２４の幅方向に延びた溝（係合部）２２６が形成されている。溝２２６は、溝２２６の底面に近づくにつれて溝幅が広がるように形成されている。第２荷摺２２５の上部には、第２荷摺２２５の幅方向に延びた突起部（係合部）２２７が形成されている。突起部２２７は、先端部に近づくにつれて突起部２２７の幅方向の厚みが大きくなるように形成されている。この例では、突起部２２７の幅方向とは、第２荷摺２２５の幅方向に直交するとともに第２荷摺２２５の上面に沿った方向である。第２荷摺２２５の幅方向に垂直な面で切った場合の突起部２２７の断面形状は、第１荷摺り２２４の幅方向に垂直な面で切った場合の溝２２６の断面形状と一致するように形成されている。つまり、突起部２２７は、第２荷摺２２５の幅方向にスライドすることによって、溝２２６に挿入される係合位置と、溝２２６から引き抜かれる解除位置との間で変位する。第２荷摺２２５は、突起部２２７が係合位置にある場合に、第１荷摺２２４と係合する。第２荷摺２２５が第１荷摺２２４と係合することによって、第２荷摺２２５は、第１荷摺２２４に支持される。
【００１５】
図示していないが、案内板２２１、車椅子用かご内操作盤２２２および車椅子用かご内手摺２２３のそれぞれにも、下部に溝２２６と同様の溝（係合部）が形成され、上部に突起部２２７と同様の突起部（係合部）が形成されている。
【００１６】
また、図示していないが、上部固定装置２１の下部および第２荷摺２２５の下部には、溝２２６と同様の溝（係合部）が形成され、下部固定装置２３の上部および第１荷摺２２４の上部には、突起部２２７と同様の突起部（係合部）が形成されている。
【００１７】
したがって、案内板２２１の突起部が上部固定装置２１の溝に係合することによって、案内板２２１に支持される。また、車椅子用かご内操作盤２２２の突起部が案内板２２１の溝に係合することによって、車椅子用かご内操作盤２２２が案内板２２１に支持される。また、車椅子用かご内手摺２２３の突起部が車椅子用かご内操作盤２２２の溝に係合することによって、車椅子用かご内手摺２２３が車椅子用かご内操作盤２２２に支持される。また、第１荷摺２２４の突起部が車椅子用かご内手摺２２３の溝に係合することによって、第１荷摺２２４が車椅子用かご内手摺２２３に支持される。また、下部固定装置２３の突起部２２７が第２荷摺２２５の溝に係合することによって、下部固定装置２３が第２荷摺２２５に支持される。
【００１８】
図３に示すように、案内板２２１には、エレベータかご内装置ユニット２が設置される建物に関する情報が記載されている。案内板２２１としては、例えば、コルクボード、液晶パネルなどが挙げられる。
【００１９】
車椅子用かご内操作盤２２２は、複数の行先階釦と、扉の位置を全開位置にするための開釦と、扉の位置を全閉位置にするための閉釦とを有している。
【００２０】
下部固定装置２３は、ボルト（図示せず）を用いて、かご１の巾木１１（図１）に固定される。下部固定装置２３は、かご１の内側に配置される。
【００２１】
図２に示すように、規制装置２４は、案内板２２１、車椅子用かご内操作盤２２２、車椅子用かご内手摺２２３、第１荷摺２２４および第２荷摺２２５のそれぞれの裏面に取り付けられている。規制装置２４は、磁石から構成されている。側壁１２（図１）は、鉄から構成されている。したがって、規制装置２４は、磁力を用いて、側壁１２に対してエレベータかご内装置２２が離れる方向に移動することを規制する。なお、規制装置２４は、磁石に限らず、例えば、両面テープから構成されてもよい。
【００２２】
次に、既設のかご１にエレベータかご内装置ユニット２を取り付ける手順について説明する。まず、天井１３および側壁１２を固定するためのボルトを取り外し、天井１３を側壁１２から取り外す（天井取外工程）。その後、側壁１２の上部を跨ぐようにして上部固定装置２１を側壁１２に引っ掛ける（上部固定装置取付工程）。
【００２３】
その後、上部固定装置２１の下部にエレベータかご内装置２２を係合させる（エレベータかご内装置取付工程）。このとき、エレベータかご内装置２２には、規制装置２４が取り付けられているので、エレベータかご内装置２２は、磁力によって、側壁１２に吸引され、側壁１２から離れる方向に移動することが規制される。
【００２４】
その後、エレベータかご内装置２２の下部に下部固定装置２３を係合させ、下部固定装置２３を巾木１１に固定する（下部固定装置取付工程）。最後に、ボルトを用いて天井１３を上部固定装置２１とともに側壁１２に固定する。このとき、上部固定装置２１が引っ掛けられていない側壁１２の部分にも上部固定装置２１の厚みと同じだけ側壁１２を嵩上げ（嵩上げ用側壁手配）の上、ボルトを用いて天井１３を固定する。以上により、既設のかご１へのエレベータかご内装置ユニット２の取付作業が終了する。
【００２５】
以上説明したように、この発明の実施の形態１に係るエレベータかご内装置ユニット２によれば、かご１の側壁１２の上部を跨ぐようにして側壁１２に引っ掛けられる上部固定装置２１と、上部固定装置２１に吊下げられるエレベータかご内装置２２とを備えているので、かご１の側壁１２に上部固定装置２１を引っ掛けることで、エレベータかご内装置２２を既設のかご１に取り付けることができる。これにより、エレベータかご内装置２２の取付作業の効率を向上させることができる。また、かご１の側壁１２に上部固定装置２１を引っ掛けることで、エレベータかご内装置２２を既設のかご１に取り付けることができるので、側壁１２に貫通孔を形成する必要がなくなり、側壁１２の強度を向上させることができる。また、かご１の側壁１２に上部固定装置２１を引っ掛けることで、エレベータかご内装置２２を既設のかご１に取り付けることができるので、壁割りによらず、自由なレイアウトが可能となる。また、エレベータかご装置をリニューアルする際には、天井１３を取り替える場合が多いので、天井１３の取替えとともにエレベータかご内装置ユニット２をかご１に取り付けることによって、エレベータかご内装置ユニット２の取付作業の効率をさらに向上させることができる。
【００２６】
また、エレベータかご内装置ユニット２は、エレベータかご内装置２２に吊下げられるとともに、かご１の巾木１１に固定される下部固定装置２３を備えているので、エレベータかご内装置２２の下部が側壁１２から離れる方向に移動することを規制することができる。
【００２７】
また、エレベータかご内装置ユニット２は、エレベータかご内装置２２と側壁１２との間に設けられ、側壁１２に対してエレベータかご内装置２２が離れる方向に移動することを規制する規制装置２４を備えているので、エレベータかご内装置２２の高さ方向中間部が側壁１２から離れる方向に移動することを規制することができる。
【００２８】
また、エレベータかご内装置２２は、高さ方向に並べられた複数のかご内装置本体を有し、それぞれのかご内装置本体は、高さ方向に隣り合うかご内装置本体と係合する係合部を含んでいるので、エレベータかご内装置２２の数を容易に増減させることができる。
【００２９】
なお、上記実施の形態１では、エレベータかご内装置２２が、案内板２２１、車椅子用かご内操作盤２２２、車椅子用かご内手摺２２３、第１荷摺２２４、第２荷摺２２５を有している構成について説明したが、これに限らず、例えば、図６に示すように、エレベータかご内装置２２が、車椅子用かご内操作盤２２２よりも上部に位置する第１鏡（かご内装置本体）２２８、車椅子用かご内手摺２２３よりも下方に位置する第２鏡（かご内装置本体）２２９、第２鏡２２９よりも下方に位置する化粧板（かご内装置本体）２３０を有する構成であってもよい。
【００３０】
また、上記実施の形態１では、複数のかご内装置本体が鉛直方向に並べられた構成について説明したが、これに限らず、例えば、図７に示すように、複数のかご内装置本体２３１が、側壁１２（図１）に沿うとともに鉛直方向に対して傾斜した方向に並べられた構成であってもよい。この場合、図８および図９に示すように、上部固定装置２１の下部、複数のかご内装置本体２３１の上部および下部には、むき出しになることを防止するカバー２３２が取り付けられる。かご内装置本体２３１の下部には、溝２３３（係合部）が形成されており、上部固定装置２１の下部およびかご内装置本体２３１の下部に取り付けられるカバー２３２には、上部固定装置２１の溝およびかご内装置本体２３１の溝２３３に挿入される突起部２３４（係合部）が形成されている。溝２３３および突起部２３４は、溝２２６（図５）および突起部２２７（図５）と同様の構成となっている。また、かご内装置本体２３１の上部に取り付けられるカバー２３２には、溝２３５（係合部）が形成され、かご内装置本体２３１の上部には、溝２３５に挿入される突起部２３６（係合部）が形成されている。溝２３５および突起部２３６は、溝２２６（図５）および突起部２２７（図５）と同様の構成となっている。
【００３１】
また、上記実施の形態１では、複数のかご内装置本体が高さ方向に１列に並べられた構成について説明したが、これに限らず、例えば、図１０に示すように、複数のかご内装置本体が幅方向に隣り合う構成であってもよい。図１０では、２枚の案内板２２１が幅方向に隣り合うように配置されている。
【００３２】
また、上記実施の形態１では、一対のエレベータかご内装置ユニット２を備えたエレベータかご装置の構成について説明したが、これに限らず、例えば、１個のエレベータかご内装置ユニット２を備えたエレベータかご装置の構成であってもよい。
【００３３】
また、上記実施の形態１では、エレベータかご内装置ユニット２がかご１の幅方向両側に配置された側壁１２のそれぞれに取り付けられた構成について説明したが、これに限らず、エレベータかご内装置ユニット２がかご１の奥行方向奥側に配置された側壁１２に取り付けられた構成であってもよい。
【００３４】
また、上記実施の形態１では、かご内手摺として、車椅子用かご内手摺２２３を例に説明したが、車椅子用に限らず、その他の用途に用いられるかご内手摺であってもよい。
【００３５】
また、上記実施の形態１では、かご内操作盤として、車椅子用かご内操作盤２２２を例に説明したが、車椅子用に限らず、その他の用途に用いられるかご内操作盤であってもよい。
【符号の説明】
【００３６】
１  かご、２  エレベータかご内装置ユニット、１１  巾木、１２  側壁、１３  天井、２１  上部固定装置、２２  エレベータかご内装置、２３  下部固定装置、２４  規制装置、２１１  長孔、２２１  案内板（かご内装置本体）、２２２  車椅子用かご内操作盤（かご内装置本体）、２２３  車椅子用かご内手摺（かご内装置本体）、２２４  第１荷摺（かご内装置本体）、２２５  第２荷摺（かご内装置本体）、２２６  溝（係合部）、２２７  突起部（係合部）、２２８  第１鏡（かご内装置本体）、２２９  第２鏡（かご内装置本体）、２３０  化粧板（かご内装置本体）、２３１  かご内装置本体、２３２  カバー、２３３  溝（係合部）、２３４  突起部（係合部）、２３５  溝（係合部）、２３６  突起部（係合部）。
【図１】
2015089849.tif 000003
【図２】
2015089849.tif 000004
【図３】
2015089849.tif 000005
【図４】
2015089849.tif 000006
【図５】
2015089849.tif 000007
【図６】
2015089849.tif 000008
【図７】
2015089849.tif 000009
【図８】
2015089849.tif 000010
【図９】
2015089849.tif 000011
【図１０】
2015089849.tif 000012